(57)【特許請求の範囲】
【請求項１】
遊技球が転がる通路が左右方向に延在している奥側のステージと、この奥側のステージに平行に沿って通路が左右方向に延在している手前側のステージと、前記奥側のステージの左右の中央部を僅かに低くして形成した第１排出部と、この第１排出部の前方に位置する前記手前側のステージの左右の中央部を前記第１排出部よりさらに低くして形成した第２排出部と、前記奥側のステージ及び前記手前側のステージの間の一部を仕切る仕切り部材とを備え、前記奥側のステージ上の遊技球が、前記第１排出部及から前記第２排出部を通過して下方に落下するときに、下方位置に設けた入賞口に入賞する確率が高くなるようにした遊技機のステージにおいて、
前記仕切り部材は前記奥側のステージと前記手前側のステージの左右両端部の少なくとも一方を仕切らず、それら奥側のステージ及び手前側のステージの前記仕切り部材に仕切られていない部位に、両者のステージへの前記遊技球の行き来が可能なリターン路を設けるとともに、
前記手前側のステージに形成した前記第２排出部の左右方向の最大幅を、前記奥側のステージに形成した前記第１排出部の左右方向の最大幅より広く設定したことを特徴とする遊技機のステージ。
【請求項２】
前記奥側のステージと前記手前側のステージの左右両端部のうち前記リターン路を設けている側における遊技球が当接する壁面は、一定の勢いを超えた前記遊技球が一方のステージ上を転がってきたときには他方のステージへ導き、勢いの弱い遊技球が一方のステージ上を転がってきたときには、その一方のステージ上を左右方向に繰り返し転がって揺動するような壁面に形成したことを特徴とする請求項１記載の遊技機のステージ。
【請求項３】
前記奥側のステージ及び前記手前側のステージを、円弧面形状で左右に延在している曲面転動路としたことを特徴とする請求項１又は２記載の遊技機のステージ。
【請求項４】
前記リターン路は、前記奥側のステージの端部側から前記手前側のステージの端部側に向かうに従い、上り傾斜を付けて形成されていることを特徴とする請求項１乃至３の何れかに記載の遊技機のステージ。
【請求項５】
前記リターン路の途中に、前記奥側のステージから前記手前側のステージに向けて転がってくる遊技球の転がりを規制する規制部材を設けたことを特徴とする請求項１乃至４の何れかに記載の遊技機のステージ。
【請求項６】
前記奥側のステージの左右位置に、ワープゾーンのワープ出口が臨んでいることを特徴とする請求項１乃至５の何れかに記載の遊技機のステージ。
【発明の詳細な説明】
【技術分野】
【０００１】
本発明は、例えば可変図柄表示装置の下方に位置している入賞口に遊技球を導くため、可変図柄表示装置に設けた遊技機のステージに関する。
【背景技術】
【０００２】
この種の遊技機のステージとして、特許文献１に記載されているステージが知られている。特許文献１に記載のステージは、奥側のステージと、手前側のステージとを備えた二段構造のステージであり、各ステージには、入賞口に遊技球を落下させる排出口が設けられており、奥側のステージの排出口から手前側のステージの排出口を介して落下する遊技球の方が、手前側のステージの排出口から落下する遊技球より入賞口の入賞確率が高く設定されている。
【先行技術文献】
【特許文献】
【０００３】
【特許文献１】特開平９−２７６４８９号公報
【発明の概要】
【発明が解決しようとする課題】
【０００４】
しかし、このステージは、奥側のステージと手前のステージとがガード部材で仕切られおり、遊技者は、奥側のステージを転がる遊技球の動きしか、入賞口への高い入賞確率を期待できないので、期待感を増大させるという遊技性の面で問題がある。
また、遊技球は各ステージ上を単純なパターンで転がるので、遊技者が興味を持って遊技をし続けることができないおそれがある。
【０００５】
本発明は上記事情に鑑みてなされたものであり、遊技者の期待感が増大し、遊技球の転動に目が離せず、興味を持って遊技を楽しむことができる遊技機のステージを提供することを目的としている。
【課題を解決するための手段】
【０００６】
上記課題を解決するために、請求項１記載の遊技機のステージは、遊技球が転がる通路が左右方向に延在している奥側のステージと、この奥側のステージに平行に沿って通路が左右方向に延在している手前側のステージと、前記奥側のステージの左右の中央部を僅かに低くして形成した第１排出部と、この第１排出部の前方に位置する前記手前側のステージの左右の中央部を前記第１排出部よりさらに低くして形成した第２排出部と、前記奥側のステージ及び前記手前側のステージの間の一部を仕切る仕切り部材とを備え、前記奥側のステージ上の遊技球が、前記第１排出部及から前記第２排出部を通過して下方に落下するときに、下方位置に設けた入賞口に入賞する確率が高くなるようにした遊技機のステージにおいて、前記仕切り部材は前記奥側のステージと前記手前側のステージの左右両端部の少なくとも一方を仕切らず、それら奥側のステージ及び手前側のステージの前記仕切り部材に仕切られていない部位に、両者のステージへの前記遊技球の行き来が可能なリターン路を設けるとともに、前記手前側のステージに形成した前記第２排出部の左右方向の最大幅を、前記奥側のステージに形成した前記第１排出部の左右方向の最大幅より広く設定した。
【０００７】
また、請求項２記載の発明は、請求項１記載の遊技機のステージにおいて、前記奥側のステージと前記手前側のステージの左右両端部のうち前記リターン路を設けている側における遊技球が当接する壁面は、一定の勢いを超えた前記遊技球が一方のステージ上を転がってきたときには他方のステージへ導き、勢いの弱い遊技球が一方のステージ上を転がってきたときには、その一方のステージ上を左右方向に繰り返し転がって揺動するような壁面に形成した。
【０００８】
また、請求項３記載の発明は、請求項１又は２記載の遊技機のステージにおいて、前記奥側のステージ及び前記手前側のステージを、円弧面形状で左右に延在している曲面転動路とした。
また、請求項４記載の発明は、請求項１乃至３の何れかに記載の遊技機のステージにおいて、前記リターン路を、前記奥側のステージの端部側から前記手前側のステージの端部側に向かうに従い、上り傾斜を付けて形成した。
【０００９】
また、請求項５記載の発明は、請求項１乃至４の何れかに記載の遊技機のステージにおいて、前記リターン路の途中に、前記奥側のステージから前記手前側のステージに向けて転がってくる遊技球の転がりを規制する規制部材を設けた。さらに、請求項６記載の発明は、請求項１乃至５の何れかに記載の遊技機のステージにおいて、前記奥側のステージの左右位置に、ワープゾーンのワープ出口が臨んでいるようにした。
【発明の効果】
【００１０】
本発明の請求項１記載の遊技機のステージによると、遊技者は、手前側のステージを遊技球が転がっていても、その遊技球が、リターン路を通過して奥側のステージを転がり、さらに、左右方向の幅が狭い第１排出部から左右方向の幅が広い第２排出部を通過して落下し、入賞口への入賞確率が高くなるのを期待することができる。したがって、ステージを転がる遊技球のパターンがバラエティに富んで面白く、遊技者が興味を持って遊技を楽しむことができる遊技機を提供することができる。
【００１１】
また、本発明の請求項２記載の発明によると、奥側のステージと手前側のステージの左右両端部のうち前記リターン路を設けている側における遊技球が当接する壁面を、勢いの弱い遊技球が一方のステージ上を転がってきたときには、その一方のステージ上を左右方向に繰り返し転がって揺動するような壁面に形成したので、その遊技球が奥側のステージ上で転がっているときには、第１排出部から第２排出部を通過して落下し、入賞口への入賞確率が高くなるのを期待することができる。
【００１２】
また、本発明の請求項３記載の発明によると、奥側のステージ及び手前側のステージを、円弧面形状で左右に延在している曲面転動路としたことから、若し、遊技球が奥側のステージ上で揺動しているときには、すぐに揺動が収束し、第１排出部から第２排出部を通過して落下して入賞口への入賞確率が高くなるのを期待することができる。
また、本発明の請求項４に記載の発明によると、リターン路を、奥側のステージの端部側から手前側のステージの端部側に向かうに従い、上り傾斜を付けて形成したので、奥側のステージから手前側のステージに移行しようとする遊技球の勢いを弱くして、奥側のステージに戻して第１排出部から第２排出部を通過して落下して入賞口への入賞確率が高くなるのを期待することができる。
【００１３】
また、本発明の請求項５に記載の発明によると、リターン路の途中に、奥側のステージから手前側のステージに向けて転がってくる遊技球の転がりを規制する規制部材を設けたことから、奥側のステージから手前側のステージに移行しようとする遊技球を、規制部材により奥側のステージに戻して第１排出部から第２排出部を通過して落下して入賞口への入賞確率が高くなるのを期待することができる。
【００１４】
さらに、本発明の請求項６記載の発明によると、ワープゾーンから奥側のステージに流れ込んだ遊技球が、奥側或いは手前側のステージに移行するので、ステージを転がる遊技球のパターンがバラエティに富んでさらに面白くなる。
【図面の簡単な説明】
【００１５】
【図１】本発明に係る遊技盤を正面から示した図である。
【図２】本発明に係る可変図柄表示装置の上部に配置したキャラクタ飾りを示す図である。
【図３】図２のIII−III線矢視図である。
【図４】本発明に係るワープゾーンを示す正面図である。
【図５】図４のV −V 線矢視図である。
【図６】本発明の第１実施形態のステージを示す平面断面図である。
【図７】第１実施形態のステージ上を転がる遊技球の動きを示す図である。
【図８】第１実施形態のステージ近くの遊技釘から跳ね上がってステージ上に転がる遊技球の動きを示す図である。
【図９】第２実施形態のステージを示す斜視図である。
【図１０】図９のＸ−Ｘ線矢視図である。
【発明を実施するための形態】
【００１６】
以下、本発明の遊技機として例えばパチンコ機のステージに係る実施形態を図面を参照して説明する。図１は、本実施形態に係る遊技盤２の示す正面図を示すものであり、この遊技盤２の表面にはガイドレール４で囲まれる遊技部６が形成されており、遊技部６の略中央に可変図柄表示装置１０が設けられている。この可変図柄表示装置１０の下方には、一般入賞口１２ａ、１２ｂ、１２ｃ、１２ｄ、始動入賞口１３、変動入賞装置１４が設けられている。また、遊技部６の各所に、風車１６、ランプ風車１８が配設されているとともに、遊技部６の最下部にアウト口２２が設けられている。また、図１では示していないが、遊技部６の全域に遊技釘が設けられている。
【００１７】
そして、遊技者が発射した遊技球が、前述した始動入賞口１３などに入賞すると、可変図柄表示装置１０が図柄の変動表示を開始し、図柄の変動表示を開始後、所定時間が経過して停止した図柄の組み合わせが予め定めた図柄となったときに、大当たりとなって変動入賞装置１４が開口するようになっている。また、図１の符号１９ａ、１９ｂ、１９ｃは、可変図柄表示装置１０の上部にビス止めにより固定した立体部品からなる第１〜第３のキャラクタ飾りである。これら第１〜第３のキャラクタ飾り１９ａ、１９ｂ、１９ｃは、可変図柄表示装置１０の最上部に設けたひさし部１０ａの下方に位置しているが、図２及び図３に示すように、第１のキャラクタ飾り１９ａのみが、ひさし部１０ａより前方に突出している。そして、ひさし部１０ａの左右縁部には、キャラクタ飾りの保護用リブ１０ｂ、１０ｃが連続して設けられており、これら保護用リブ１０ｂ、１０ｃは、図２及び図３に示すように、第１のキャラクタ飾り１９ａより前方に突出している。
【００１８】
このように、保護用リブ１０ｂ、１０ｃを第１のキャラクタ飾り１９ａより前方に突出した構造とすると、キャラクタ飾り１９ａ、１９ｂ、１９ｃを裏側からビス２１ａ、２１ｂで止めるために作業机上に可変図柄表示装置１０を裏返して載せる際に、第１〜第３のキャラクタ飾り１９ａ、１９ｂ、１９ｃが作業机に接触して傷つくおそれがなく、保護用リブ１０ｂ、１０ｃが、第１〜第３のキャラクタ飾り１９ａ、１９ｂ、１９ｃと作業机との接触を防止する治具台として機能する。また、可変図柄表示装置１０を配置した遊技盤２を複数台重ねて運搬する際にも、上側の遊技盤２の裏面部材が、下側の遊技盤２のキャラクタ飾り１９ａ、１９ｂ、１９ｃに接触して損傷するのを保護用リブ１０ｂ、１０ｃが保護する機能も有する。さらに、保護用リブ１０ｂ、１０ｃは、発射された遊技球が接触することによって、可変図柄表示装置１０の周囲に配設された始動入賞口１３やワープ入口３０ａの方向に遊技球を誘導させる機能も備える。
【００１９】
また、図１において可変図柄表示装置１０の左側及び右側に一対のワープゾーン３０が設けられているとともに、可変図柄表示装置１０の下部に、各ワープゾーン３０から流れ出た遊技球を、可変図柄表示装置１０の下方に位置した始動入賞口１３側に導くためのステージ３２が設けられている。ワープゾーン３０は、図４及び図５に示すように、可変図柄表示装置１０の側部で開口しているワープ入口３０ａと、ワープ入口３０ａに連通して遊技者が見えない遊技球の通路として形成され、ワープ入口３０ａに入った遊技球をステージ３２側に導くワープ通路３０ｂと、ワープ通路３０ｂの途中に設けた減速機構３０ｃと、ワープ通路３０ｂと連通してステージ３２に向けて開口しているワープ出口３０ｄを備えている。減速機構３０ｃは、ワープ通路３０ｂ内を通過する遊技球Ｂに接触してステージ３２に流れ出る遊技球Ｂの速度を遅くする機構である。
【００２０】
ステージ３２は、ワープゾーン３０から流れてきた遊技球Ｂを集合して落下させる際に、遊技球Ｂの始動入賞口１３への入賞率を高める遊技部材であり、図６に示すように、遊技球が転がる転動路が左右方向に延在している奥側のステージ３６と、奥側のステージ３６と同様に転動路が左右方向に延在している手前側のステージ３８とを備えた２段ステージ構造としている。なお、符号３３で示す部材は、ステージ３２の直下に配設した遊技釘である。
【００２１】
奥側のステージ３６の転動路は、中央部を除いた転動路３６ａ、３６ｂが平坦面に形成されているとともに、前記中央部が、他の転動路３６ａ、３６ｂより低い浅い球面状の第１排出部３６ｃとして形成されている。第１排出部３６ｃの幅は、遊技球Ｂの一個程度の幅に設定されている。そして、前述した一対のワープゾーン３０の各ワープ出口３０ｄが、転動路３６ａ、３６ｂに向けて左右から開口している手前側のステージ３８の転動路は、前述した奥側のステージ３６の転動路より僅かに低く形成されており、中央部を除いた転動路３８ａ、３８ｂが平坦面に形成されているとともに、前記中央部が、他の転動路３８ａ、３８ｂより低い浅い球面状の第２排出部３８ｃとして形成されている。そして、第２排出部３８ｃは、自身の最低位置を第１排出部３６ｃの最低位置の前方としているとともに、その幅が、遊技球Ｂの略三個程度の幅に設定されている。
【００２２】
そして、奥側のステージ３６及び手前側のステージ３８の間に仕切り部材４０ａ、４０ｂを設け、手前側のステージ３８の前面にも仕切り部材４０ｃ、４０ｄを設けている。仕切り部材４０ａ、４０ｂは、ステージ３２の左右縁部から離間し、第１排出部３６ｃ及び第２排出部３８ｃからも離間して設けられており、第１排出部３６ｃから第２排出部３８ｃへ遊技球Ｂを導く排出路４１ａの他に、ステージ３２の左右縁部側に、奥側のステージ３６から手前側のステージ３８へ、或いは手前側のステージ３８から奥側のステージ３６へ遊技球Ｂが転がるリターン路４１ｂを設けている。また、仕切り部材４０ｃ、４０ｄは、第２排出部３８ｂの前面側のみを開口するように設けられている。ここで、リターン路４１ｂを形成しているステージ３２の左右縁部は、一定の勢いを超えて転がっている遊技球Ｂを逆側のステージ（遊技球Ｂが奥側のステージ３６から転動してきた場合には手前側のステージ３８、或いは、遊技球Ｂが手前側のステージ３８から転動してきた場合には奥側のステージ３６、）にスムーズに送り出し、勢いが弱く転がっている遊技球Ｂは、元のステージに戻して揺動させるような曲面部４２に形成している。
【００２３】
次に、図７に、ワープゾーン３０から流れてきた遊技球Ｂがステージ３２上を転がり、始動入賞口１３に向けて落下する動作について説明する。左側のワープ出口３０ｄから出てきた遊技球Ｂは奥側のステージ３６を右側に向けて転がり、右側のワープ出口３０ｄから出てきた遊技球Ｂは奥側のステージ３６を左側に向けて転がっていく。
【００２４】
この際、奥側のステージ３６で転がる遊技球Ｂのうち、勢いの弱い遊技球Ｂは、曲面部４２に当接した後、奥側のステージ３６の矢印ｅ方向の揺動を繰り返す。また、一定の勢いを超えた遊技球Ｂは、リターン路４１ｂの曲面部４２に当接して移動し、手前側のステージ３８を転がる。そして、手前側のステージ３８で転がる遊技球Ｂのうち、勢いが弱まった遊技球Ｂは、曲面部４２に当接した後、手前側のステージ３８の矢印ｆ方向の揺動を繰り返す。また、依然として勢いが落ちていない遊技球Ｂは、リターン路４１ｂの曲面部４２に沿って移動し、再度、奥側のステージ３６を転がっていく。
【００２５】
ここで、始動入賞口１３への入賞確率は、奥側のステージ３６の第１排出部３６ｃに乗った遊技球Ｂが、この第１排出部３６ｃから排出路４１ａを通過して前方に転がって第２排出部３８ｃに移動し（矢印ｇ方向）、この第２排出部３８ｃから前方に転がった後に（矢印ｈ方向）始動入賞口１３に向けて落下する場合が、一番確率が高くなる。
そのため、遊技者は、手前側のステージ３８を遊技球Ｂが転がっていても、その遊技球Ｂが、リターン路４１ｂを通過して奥側のステージ３６を転がり、さらに、矢印ｇ方向から矢印ｈ方向へ転がって始動入賞口１３への入賞確率が高くなるのを期待することができる。したがって、ステージ３２を転がる遊技球Ｂのパターンがバラエティに富んで面白く、遊技者が興味を持って遊技を楽しむことができる遊技機を提供することができる。
【００２６】
また、図８に示すように、遊技釘３３から跳ね上がった遊技球Ｂが、ステージ３２上に乗る場合もある。このとき、図に示すように、手前側のステージ３８に乗った遊技球Ｂが、すぐに第２排出部３８ｃから前方に転がって始動入賞口１３に向けて落下する場合には、始動入賞口１３への入賞確率がさほど高くない。本実施形態では、手前側のステージ３８に乗った遊技球Ｂが、左側に転動してリターン路４１ｂの曲面部４２に当接して、裏側のステージ３６に転がっていきやすい。そして、遊技球Ｂが、裏側のステージ３６で矢印ｅ方向の揺動を繰り返し、第１排出部３６ｃから排出路４１ａを通過して第２排出部３８ｃに転がり、始動入賞口１３に向けて落下すると、始動入賞口１３への入賞確率が高くなり、遊技者にとって有利な状態となる。
【００２７】
次に、図９及び図１０に示すものは、図１から図８で示したステージ３２と異なる構造のステージ５０を示すものである。なお、図示していないが、ステージ５０の下方に始動入賞口１３が設けられているものとする。本実施形態では、可変図柄表示装置１０の側部にワープゾーンを設けておらず、可変図柄表示装置１０の下部に設けたステージ５０には、遊技釘３３から跳ね上がった遊技球Ｂだけが流れ込む。
【００２８】
本実施形態のステージ５０は、奥側のステージ５２と、手前側のステージ５４とを備えた２段ステージ構造である。奥側のステージ５２は、円弧面形状で左右方向に延在している曲面転動路５２ａと、この曲面転動路５２ａの左右方向の中央部に形成した第１排出部５２ｂと、曲面転動路５２ａの左右の端部に連続し、これらの端部に向かって下り傾斜を付けて形成した傾斜転動路５２ｃとで構成されている。そして、第１排出部５２ｂは、浅い球面状に形成されているとともに、その幅は遊技球Ｂの一個程度の幅に設定されている。
【００２９】
また、手前側のステージ５４は、奥側のステージ５２より僅かに低く形成されており、円弧面形状で左右方向に延在している曲面転動路５４ａと、この曲面転動路５４ａの左右方向の中央部に形成した第２排出部５４ｂと、曲面転動路５４ａの左右の端部から前記奥側のステージ５２の傾斜転動路５２ｃまで連続し、前端から傾斜転動路５２ｃに向かうに従い下り傾斜を付けた傾斜転動路５４ｃとで構成されている。これにより、曲面転動路５４ａの左右の端部と傾斜転動路５４ｃとの間には、奥側のステージ５２の傾斜転動路５２ｃから曲面転動路５４ａへの遊技球Ｂの流れ込みを規制する規制リブ５４ｄが設けられている。また、第２排出部５４ｂは、浅い球面状に形成されているとともに、自身の最低位置を第１排出部５２ｂの最低位置と前後方向で一致させているとともに、その幅が、遊技球Ｂの略三個程度の幅に設定されている。
【００３０】
そして、奥側のステージ５２及び手前側のステージ５４の曲面転動路５２ａ、５４ａに沿う位置に、第１排出部５２ｂから第２排出部５４ｂへ遊技球Ｂを導く排出路５６を設けた状態で仕切り部材５８ａ、５８ｂが配設されている。ここで、本実施形態の傾斜転動路５２ｃ、５４ｃが、本発明のリターン路に相当する。
【００３１】
次に、遊技釘３３から跳ね上がった遊技球Ｂがステージ５０上に乗り、ステージ５０上を転がった後に、始動入賞口１３に向けて落下する動作について説明する。左側の遊技釘３３から跳ね上がった遊技球Ｂが、矢印ｊ方向に示すように手前側のステージ５４の傾斜転動路５４ｃに乗ると、遊技球Ｂは傾斜転動路５２ｃを通過して奥側のステージ５２を右側に向けて転がっていく。この際、上り坂である右側の転動傾斜路５２ｃ、右側の傾斜転動路５４ｃを遊技球Ｂが転がりながら上がると、遊技球Ｂの勢いが弱くなり、規制リブ５４ｄを乗り越えることができず、再度戻って奥側のステージ５２の曲面転動路５２ａの左右方向の揺動を繰り返す。そして、曲面転動路５２ａでの揺動を繰り返す遊技球Ｂは直ぐに転がり速度が遅くなるので、第１排出部５２ｂに乗り、この第１排出部５２ｂから排出路５６を通過して前方に転がって第２排出部５４ｂに移動し、この第２排出部５４ｂから前方に転がった後に落下し、始動入賞口１３への入賞率が高くなる。
【００３２】
また、遊技球Ｂが、一定の勢いをもって矢印ｋ方向に示すように手間側のステージ５４の曲面転動路５４ａに乗ると、遊技球Ｂは右側の傾斜転動路５４ｃ、５２ｃを通過して奥側のステージ５２を左側に向けて転がっていく。この際、上り坂である左側の傾斜転動路５２ｃ、左側の傾斜転動路５４ｃを遊技球Ｂが転がると、勢いが弱くなって規制リブ５４ｄを乗り越えることができず、再度戻って奥側のステージ５２の曲面転動路５２ａの左右方向の揺動を繰り返す。そして、曲面転動路５２ａでの揺動を繰り返す遊技球Ｂの転がり速度が遅くなると、第１排出部５２ｂに乗り、この第１排出部５２ｂから排出路５６を通過して前方に転がって第２排出部５４ｂに移動し、この第２排出部５４ｂから前方に転がった後に落下し、始動入賞口１３への入賞率が高くなる。
【００３３】
このように、遊技者は、手前側のステージ５４に遊技球Ｂが乗っても、その遊技球Ｂが傾斜転動路５４ｃ、５２ｃを通過して奥側のステージ５２に転がり、第１排出部５２ｂ及び第２排出部５４ｂを通過して始動入賞口１３への入賞確率が高くなるのを期待することができる。さらに、複数の遊技球Ｂが連続してステージ３２、５０に流れ込んだ場合には、遊技球どうしが接触して転動する勢いに不測の変化が生じる。したがって、遊技釘３３から跳ね上がった遊技球Ｂだけが流れ込んでも、ステージ５０を転がる遊技球Ｂのパターンがバラエティに富んで面白いので、遊技者が興味を持って遊技を楽しむことができる遊技機を提供することができる。
【符号の説明】
【００３４】
１０…可変図柄表示装置、１３…始動入賞口（入賞口）、３０…ワープゾーン、３０ｄ…ワープ出口、３２、５０…ステージ、３３…遊技釘、３６、５２…奥側のステージ、３６ａ、３６ｂ…転動路、３６ｃ、５２ｂ…第１排出部、３８、５４…手前側のステージ、３８ａ、３８ｂ…転動路、３８ｃ、５４ｂ…第２排出部、４０ａ、４０ｂ、４０ｃ、４０ｄ…仕切り部材、４１ｂ…リターン路、４２…曲面部（壁面）、５２ａ、５４ａ…曲面転動路、５２ｃ、５４ｃ…傾斜転動路（リターン路）、５４ｄ…規制リブ（規制部材）、Ｂ… 遊技球
【図１】
0004814974.tif 000002
【図２】
0004814974.tif 000003
【図３】
0004814974.tif 000004
【図４】
0004814974.tif 000005
【図５】
0004814974.tif 000006
【図６】
0004814974.tif 000007
【図７】
0004814974.tif 000008
【図８】
0004814974.tif 000009
【図９】
0004814974.tif 000010
【図１０】
0004814974.tif 000011